(57)【要約】  等化器フィルタを含む符号分割多元接続（ＣＤＭＡ）受信機においてチップ・レベル等化（ＣＬＥ）を実行するときの処理速度を下げるための方法および装置である。受信機の少なくとも１つのアンテナにより受信された信号は、Ｍ倍のチップ速度にて標本化される。それぞれの標本化列は、チップ速度でのＭ個の標本化データ列群に分割される。それぞれの分割された標本化データ列について、多重経路合成が実行されることが望ましい。標本化データ列群は次に、１つの合成された標本化データ列にチップ速度にて合成される。等化器フィルタは、合成された標本化列についてチップ速度にて等化を実行する。フィルタ係数は、前回の繰り返しに対して等化器フィルタによって利用されたフィルタ係数に修正項を追加することにより、調整される。
2008519556.tif 000002
【特許請求の範囲】
【請求項１】
（ａ）信号を受信する１本のアンテナと、
（ｂ）前記アンテナに接続され、前記受信された信号に基づいて、Ｍが正の整数であるＭ倍のチップ速度にて標本化データ列を発生させる標本化器と、
（ｃ）前記標本化データ列を前記チップ速度にてＭ個の標本化列に分割する前記標本化器に接続される直並列（Ｓ／Ｐ）変換器と、
（ｄ）前記分割された標本化列を、前記チップ速度にて１つの合成された標本化データ列に合成する合成器と、
（ｅ）前記チップ速度にて前記１つの合成された標本化データ列を処理する等化器と
を具備することを特徴とする符号分割多元接続（ＣＤＭＡ）受信機。
【請求項２】
前記等化器（ｅ）が、
（ｅ１）前記１つの合成された標本化データ列をフィルタ係数によって処理する等化器フィルタと、
（ｅ２）前記等化器フィルタによる使用のための少なくとも１つのフィルタ係数修正項を発生させるタップ係数発生器と
をさらに具備することを特徴とする請求項１に記載の受信機。
【請求項３】
Ｍが２に等しく、かつ前記Ｓ／Ｐ変換器が、前記標本化データ列を奇数標本化データ列および偶数標本化データ列に分割することを特徴とする請求項１に記載の受信機。
【請求項４】
前記フィルタ係数修正項が、逆拡散パイロット信号系列に基づいて発生することを特徴とする請求項２に記載の受信機。
【請求項５】
前記フィルタ係数修正項が、非逆拡散パイロット信号系列に基づいて発生することを特徴とする請求項２に記載の受信機。
【請求項６】
（ｆ）前記Ｓ／Ｐ変換器から出力されたそれぞれの標本化データ列の多重経路のまたは遅延した複製を合成する複数の多重経路合成器をさらに具備することを特徴とする請求項１に記載の受信機。
【請求項７】
前記タップ係数発生器が、正規化最少２乗平均（ＮＬＭＳ）アルゴリズムを使用して前記フィルタ係数修正項を発生させることを特徴とする請求項２に記載の受信機。
【請求項８】
前記タップ係数発生器が、最少２乗平均（ＬＭＳ）アルゴリズムを使用して前記フィルタ係数修正項を発生させることを特徴とする請求項２に記載の受信機。
【請求項９】
（ａ）信号を受信する複数のアンテナと、
（ｂ）前記受信された信号に基づいて、Ｍが正の整数であるＭ倍のチップ速度にて標本化データ列を発生させる複数の標本化器であって、それぞれの標本化器は前記アンテナの特定の１つと関連付けられる標本化器と、
（ｃ）前記標本化データ列を前記チップ速度にてＭ個の標本化系列に分割する複数の分割器であって、それぞれの分割器が前記標本化器の個々の１つに接続される分割器と、
（ｄ）個々の過速度標本化列を発生させるために、それぞれの個々の標本化系列の多重経路成分を合成する複数の多重経路合成器であって、それぞれの多重経路合成器が、前記過速度標本化列の個々の１つを受け取るように構成される多重経路合成器と、
（ｅ）前記分割器の個々の１つにより発生した前記標本化系列群に関連付けられた前記過速度標本化列群を、１つの合成された過速度標本化列に合成する複数の過速度標本合成器と、
（ｆ）１つのアンテナ・ダイバーシティ標本化データ列を発生させるために、前記Ｎ本のアンテナのそれぞれの前記合成された過速度標本化列を合成するアンテナ・ダイバーシティ合成器と、
（ｇ）前記アンテナ・ダイバーシティ標本化データ列を前記チップ速度にて等化する等化器と
を具備することを特徴とする符号分割多元接続（ＣＤＭＡ）受信機。
【請求項１０】
前記等化器（ｇ）が、
（ｇ１）前記１つの合成された標本化データ列をフィルタ係数によって処理する等化器フィルタと、
（ｇ２）前記等化器フィルタによる使用のための少なくとも１つのフィルタ係数修正項を発生させるタップ係数発生器と
を具備することを特徴とする請求項９に記載の受信機。
【請求項１１】
前記フィルタ係数修正項が、逆拡散パイロット信号系列に基づいて発生することを特徴とする請求項１０に記載の受信機。
【請求項１２】
前記フィルタ係数修正項が、非逆拡散パイロット信号系列に基づいて発生することを特徴とする請求項１０に記載の受信機。
【請求項１３】
前記タップ係数発生器が、正規化最少２乗平均（ＮＬＭＳ）アルゴリズムを使用して前記フィルタ係数修正項を発生させることを特徴とする請求項１０に記載の受信機。
【請求項１４】
前記タップ係数発生器が、最少２乗平均（ＬＭＳ）アルゴリズムを使用して前記フィルタ係数修正項を発生させることを特徴とする請求項１０に記載の受信機。
【請求項１５】
前記分割器が直並列（Ｓ／Ｐ）変換器であることを特徴とする請求項９に記載の受信機。
【請求項１６】
等化器フィルタおよびＮ本のアンテナを含む符号分割多元接続（ＣＤＭＡ）受信機においてチップ・レベル等化（ＣＬＥ）を実行するときに、処理速度を下げる方法であって、
（ａ）Ｎが正の整数である前記Ｎ本のアンテナを使用して信号を受信するステップと、
（ｂ）前記Ｎ本のアンテナのそれぞれに対して、前記受信された信号に基づいて、Ｍが正の整数であるＭ倍のチップ速度にて標本化データ列を発生させるステップと、
（ｃ）前記標本化データ列を前記チップ速度にてＭ個の標本化系列に分割するステップと、
（ｄ）それぞれの個々の標本化系列の多重経路成分群を、個々の過速度標本化列を発生させるために合成するステップと、
（ｅ）前記標本化系列群に関連付けられた前記過速度標本化列群を、１つの合成された過速度標本化列に合成するステップと、
（ｆ）前記Ｎ本のアンテナのそれぞれの前記合成された過速度標本化列を、１つのアンテナ・ダイバーシティ標本化データ列を発生させるために合成するステップと
を具備することを特徴とする方法。
【請求項１７】
（ｇ）前記アンテナ・ダイバーシティ標本化データ列について、前記等化器フィルタにより前記チップ速度にて等化を実行するステップと、
（ｈ）前の繰り返しに対して利用されたフィルタ係数にフィルタ係数修正項を加えることにより、前記等化器フィルタのフィルタ係数を調整するステップと
をさらに具備することを特徴とする請求項１６に記載の方法。
【請求項１８】
前記フィルタ係数修正項が、逆拡散パイロット信号系列に基づいて発生することを特徴とする請求項１７に記載の方法。
【請求項１９】
前記フィルタ係数修正項が、非逆拡散パイロット信号系列に基づいて発生することを特徴とする請求項１７に記載の方法。
【請求項２０】
前記フィルタ係数修正項が、正規化最少２乗平均（ＮＬＭＳ）アルゴリズムを使用して発生されることを特徴とする請求項１７に記載の方法。
【請求項２１】
前記フィルタ係数修正項が、最少２乗平均（ＬＭＳ）アルゴリズムを使用して発生されることを特徴とする請求項１７に記載の方法。
【請求項２２】
信号を受信する１本のアンテナ有する符号分割多元接続（ＣＤＭＡ）受信機と関連して使用される集積回路（ＩＣ）であって、
（ａ）前記アンテナに接続され、前記受信された信号に基づいて、Ｍが正の整数であるＭ倍のチップ速度にて標本化データ列を発生させる標本化器と、
（ｂ）前記標本化データ列を前記チップ速度にてＭ個の標本化列に分割する前記標本化器に接続される直並列（Ｓ／Ｐ）変換器と、
（ｃ）前記分割された標本化列群を、前記チップ速度にて１つの合成された標本化データ列に合成する合成器と、
（ｄ）前記１つの合成された標本化データ列を前記チップ速度にて処理する等化器と
を具備することを特徴とするＩＣ。
【請求項２３】
前記等化器（ｄ）が、
（ｄ１）前記１つの合成された標本化データ列をフィルタ係数によって処理する等化器フィルタと、
（ｄ２）前記等化器フィルタによる使用のための少なくとも１つのフィルタ係数修正項を発生させるタップ係数発生器と、
をさらに具備することを特徴とする請求項２２に記載のＩＣ。
【請求項２４】
Ｍが２に等しく、かつ前記Ｓ／Ｐ変換器が、前記標本化データ列を奇数標本化データ列および偶数標本化データ列に分割することを特徴とする請求項２２に記載のＩＣ。
【請求項２５】
前記フィルタ係数修正項が、逆拡散パイロット信号系列に基づいて発生することを特徴とする請求項２３に記載のＩＣ。
【請求項２６】
前記フィルタ係数修正項が、非逆拡散パイロット信号系列に基づいて発生することを特徴とする請求項２３に記載のＩＣ。
【請求項２７】
（ｅ）前記Ｓ／Ｐ変換器から出力されたそれぞれの標本化データ列の多重経路のまたは遅延した複製を合成する複数の多重経路合成器をさらに具備することを特徴とする請求項２３に記載のＩＣ。
【請求項２８】
前記タップ係数発生器が、正規化最少２乗平均（ＮＬＭＳ）アルゴリズムを使用して前記フィルタ係数修正項を発生させることを特徴とする請求項２３に記載のＩＣ。
【請求項２９】
前記タップ係数発生器が、最少２乗平均（ＬＭＳ）アルゴリズムを使用して前記フィルタ係数修正項を発生させることを特徴とする請求項２３に記載のＩＣ。
【請求項３０】
前記ＩＣおよび前記ＣＤＭＡ受信機が無線送受信ユニット（ＷＴＲＵ）に組み込まれることを特徴とする請求項２２に記載のＩＣ。
【請求項３１】
前記ＩＣおよび前記ＣＤＭＡ受信機が基地局に組み込まれることを特徴とする請求項２２に記載のＩＣ。
【請求項３２】
信号を受信するＮ本のアンテナを有する符号分割多元接続（ＣＤＭＡ）受信機に関連して使用される集積回路（ＩＣ）であって、
（ａ）前記受信された信号に基づいて、Ｍが正の整数であるＭ倍のチップ速度にて標本化データ列を発生させる複数の標本化器であって、それぞれの標本化器は前記アンテナの特定の１つと関連付けられる標本化器と、
（ｂ）前記標本化データ列を前記チップ速度にてＭ個の標本化系列に分割する複数の分割器であって、それぞれの分割器が前記標本化器の個々の１つに接続される分割器と、
（ｃ）個々の過速度標本化列を発生させるために、それぞれの個々の標本化系列の多重経路成分を合成する複数の多重経路合成器であって、それぞれの多重経路合成器が、前記過速度標本化列の個々の１つを受け取るように構成される多重経路合成器と、
（ｄ）前記分割器の個々の１つにより発生した前記標本化系列群に関連付けられた前記過速度標本化列群を、１つの合成された過速度標本化列に合成する複数の過速度標本合成器と、
（ｅ）１つのアンテナ・ダイバーシティ標本化データ列を発生させるために、前記Ｎ本のアンテナのそれぞれの前記合成された過速度標本化列を合成するアンテナ・ダイバーシティ合成器と、
（ｆ）前記アンテナ・ダイバーシティ標本化データ列を、前記チップ速度にて等化する等化器と
を具備することを特徴とするＩＣ。
【請求項３３】
前記等化器（ｆ）が、
（ｆ１）前記１つの合成された標本化データ列をフィルタ係数によって処理する等化器フィルタと、
（ｆ２）前記等化器フィルタによる使用のための少なくとも１つのフィルタ係数修正項を発生させるタップ係数発生器と
をさらに具備することを特徴とする請求項３２に記載のＩＣ。
【請求項３４】
前記フィルタ係数修正項が、逆拡散パイロット信号系列に基づいて発生することを特徴とする請求項３３に記載のＩＣ。
【請求項３５】
前記フィルタ係数修正項が、非逆拡散パイロット信号系列に基づいて発生することを特徴とする請求項３３に記載のＩＣ。
【請求項３６】
前記タップ係数発生器が、正規化最少２乗平均（ＮＬＭＳ）アルゴリズムを使用して前記フィルタ係数修正項を発生させることを特徴とする請求項３３に記載のＩＣ。
【請求項３７】
前記タップ係数発生器が、最少２乗平均（ＬＭＳ）アルゴリズムを使用して前記フィルタ係数修正項を発生させることを特徴とする請求項３３に記載のＩＣ。
【請求項３８】
前記分割器が直並列（Ｓ／Ｐ）変換器であることを特徴とする請求項３２に記載のＩＣ。
【請求項３９】
前記ＩＣおよび前記ＣＤＭＡ受信機が無線送受信ユニット（ＷＴＲＵ）に組み込まれることを特徴とする請求項３２に記載のＩＣ。
【請求項４０】
前記ＩＣおよび前記ＣＤＭＡ受信機が基地局に組み込まれることを特徴とする請求項３２に記載のＩＣ。
【発明の詳細な説明】
【技術分野】
【０００１】
本発明は、符号分割多元接続（Code Division Multiple Access：ＣＤＭＡ）受信機に関する。より詳細には、本発明は、ＣＤＭＡ受信機においてチップ・レベル等化（Chip-Level Equalization：ＣＬＥ）を実行するときの処理速度を下げるための方法および装置に関する。
【背景技術】
【０００２】
チップ・レベル等化器（equalizer）は、無線送受信ユニット（Wireless Transmit/Receive Unit：ＷＴＲＵ）および基地局（base station）において使用されるものなどの、ＣＤＭＡ受信機のための適当な候補である。正規化最少２乗平均（Normalized Least Mean Square：ＮＬＭＳ）方式のＣＬＥ受信機は、レイク（Rake）受信機上の高速下り回線パケット・アクセス（High Speed Downlink Packet Access：ＨＳＤＰＡ）などの、高データ速度のサービスに対して優れた性能を提供する。典型的なＮＬＭＳ受信機は、等化器フィルタおよびＮＬＭＳアルゴリズムを備える。等化器フィルタは通常、有限インパルス応答（Finite Impulse Response：ＦＩＲ）フィルタである。
【０００３】
ＮＬＭＳアルゴリズムは、タップ係数発生器として使用される。ＮＬＭＳアルゴリズムは、等化器フィルタによって使用される適切なタップ係数を発生させ、当該タップ係数を適時に適切にかつ繰り返し更新する。タップ係数発生は、通常、タップ係数を発生しかつ更新するために、誤差信号計算、ベクトル・ノルム（norm）計算、および漏洩積分（leaky integration）を含む。
【発明の開示】
【発明が解決しようとする課題】
【０００４】
ＣＬＥの高度な複雑性は、ＣＬＥにおける過速度標本化（over-sample）処理に起因する。典型的なＣＬＥは、すべてがチップ速度の２倍ないしそれ以上の速度で動作する、等化器フィルタ動作、タップ重みベクトルの更新動作、ベクトル・ノルム２乗計算動作、または同様のものを含む。チップ速度の２倍の過速度標本化処理は、等化器フィルタにおいて、チップ速度の非過速度標本化処理の２倍の複雑さを必要とする。
【０００５】
本発明は、等化器フィルタを含むＣＤＭＡ受信機においてＣＬＥを実行するときの処理速度を下げるための方法および装置に関する。
【課題を解決するための手段】
【０００６】
受信機の少なくとも１つのアンテナにより受信された信号は、チップ速度のＭ倍の速度にて標本化される。ここでＭは正の整数である。それぞれの標本化列は、チップ速度でのＭ個の標本化データ列群に分割される。それぞれの分割された標本化データ列について、多重経路合成（multipath combining）が実行されることが望ましい。標本化データ列群は次に、１つの合成された標本化データ列にチップ速度にて合成される。等化器フィルタは、合成された標本化列についてチップ速度にて等化を実行する。フィルタ係数は、前回の繰り返しに対して等化器フィルタによって利用されたフィルタ係数に修正項を加算することにより、調整される。
【発明を実施するための最良の形態】
【０００７】
例として与えられ、かつ添付された図面に関連して理解されるべき以下の記述から、本発明のより詳細な理解を得ることができる。
【０００８】
好適な実施形態が、全体を通して同様の符号が同様の要素を表す図面を参照して、記述される。
【０００９】
以後、用語「ＷＴＲＵ」は、ユーザ装置（User Equipment：ＵＥ）、移動局（mobile station）、ラップトップ、携帯情報端末（Personal Data Assistant：ＰＤＡ）、固定式または移動式の加入者ユニット、ページャ、または無線環境において動作することのできる他のいかなる種類の装置をも含むが、これらのものに限定する趣旨ではない。この後参照される場合には、用語「基地局（base station）」は、アクセス・ポイント（Access Point：ＡＰ）、ノードＢ（Node−Ｂ）、サイト制御装置、または無線環境における他のいかなる種類のインタフェース装置をも含むが、これらのものに限定する趣旨ではない。
【００１０】
本発明の特徴は、集積回路（Integrated Circuit：ＩＣ）に組み込むことが可能であり、または相互接続されている多数の部品を具備する回路にて構成することが可能である。
【００１１】
本発明は、以後、ＮＬＭＳアルゴリズムを参照して説明される。しかしながら、最少２乗平均（Least Mean Square：ＬＭＳ）、グリフィス（Griffith）のアルゴリズム、ＣＥ（Channel Estimation based）−ＮＬＭＳ、および他の繰り返し的または再帰的なアルゴリズムなどの、いずれの型の適応型の等化またはフィルタ動作をも使用できることに注意するべきである。
【００１２】
図１は、本発明の第１の実施形態により構成された例示的なＣＤＭＡ受信機１００のブロック図である。ＣＤＭＡ受信機１００は、少なくとも１つのアンテナ１０２、標本化器１０４、直列から並列への（直並列）（Serial-to-Parallel：Ｓ／Ｐ）変換器１０６、２つの多重経路合成器１０８Ａ、１０８Ｂ、過速度標本合成器１１０、および１倍のチップ速度の非過速度標本処理ＮＬＭＳ等化器１１２を含む。ＮＬＭＳ等化器１１２は、等化器フィルタ１１４およびタップ係数発生器１１６を含む。
【００１３】
信号は、アンテナ１０２によって受信され、そしてチップ速度の２倍の速度で標本化器１０４により標本化される。標本化器１０４は、標本化データ列１０５を出力し、これがＳ／Ｐ変換器１０６により、奇数標本化データ列１０７Ａおよび偶数標本化データ列１０７Ｂに分割される。したがって、Ｓ／Ｐ変換器１０６によって出力された信号のチップ速度は、１倍（ｌｘ）のチップ速度である。
【００１４】
偶数および奇数の標本化データ列１０７Ａ、１０７Ｂは、多重経路合成器１０８Ａ、１０８Ｂの個々の１つに供給される。多重経路は、物からの信号の反射により時間領域において拡散された信号である。同一の信号が、（反射距離によって）早くまたは遅く、そしてフェージングによって異なる振幅および位相にて、いろいろな時間に（反射により）受信機に届く場合がある。多重経路合成器ｌ０８Ａ、１０８Ｂは、元の信号およびその遅延し、拡散した信号（多重経路信号のまたは遅延した複製信号）を収集し合成して、受信品質を改善する。標本化データ列１０７Ａ、１０７Ｂのそれぞれは、１つの標本化列、および１つまたは複数の遅延した標本化列を有する。遅延した標本化データ列の数は、元の信号が出会う多重経路の数に依存する。
【００１５】
多重経路合成器１０８Ａ、１０８Ｂは、信号データ列１０７Ａ、１０７Ｂの多重経路のまたは遅延した複製を合成する。多重経路合成には、最大比率合成（Maximum Ratio Combining：ＭＲＣ）を使用できる。個々の多重経路合成器１０８Ａ、１０８Ｂにより出力された、多重経路合成された信号データ列１０９Ａ、１０９Ｂは、次に過速度標本合成器１１０に供給される。
【００１６】
過速度標本合成器１１０は、多重経路合成された信号列１０９Ａ、１０９Ｂを合成して、１倍（ｌｘ）のチップ速度にて１つの合成標本化データ列１１１を生成する。合成標本化列１１１は、等化器フィルタ１１４およびタップ係数発生器１１６へ供給される。
【００１７】
多重経路合成器１０８Ａ、１０８Ｂ、および過速度標本合成器１１０として整合フィルタ（Matched Filter：ＭＦ）を使用することができる。以下の４つのパラメータは、個々に奇数および偶数の過速度標本化系列に対する、受信された信号ベクトルおよびチャンネル応答マトリクスを意味する。
【００１８】
【数１】
2008519556.tif 000003
【００１９】
ベクトル
【００２０】
【数２】
2008519556.tif 000004
【００２１】
は、多重経路および過速度標本化合成の後の合成された信号ベクトルを意味する。整合フィルタが多重経路および過速度標本合成に使用されると仮定すると、合成された信号を以下の式（１）のように表現することが可能である。
【００２２】
【数３】
2008519556.tif 000005
【００２３】
信号合成が実行された後に、１つの改善された信号列１１１が形成され、等化器フィルタ１１４に供給され、シンボル間干渉（Inter-Symbol Interference：ＩＳＩ）や多元接続干渉（Multiple Access Interference：ＭＡＩ）などの干渉を取り除くために等化を実行する。等化器フィルタ１１４は、Ｌ個のタップのタップ係数を有するタップ遅延線を具備する有限インパルス応答（Finite Impulse Response：ＦＩＲ）フィルタであることが望ましい。ＮＬＭＳ等化器１１２は、重みの更新に関して以下のように記述できる。
【００２４】
【数４】
2008519556.tif 000006
【００２５】
ここで、
【００２６】
【数５】
2008519556.tif 000007
【００２７】
はタップ重みベクトルであり、ｄ［ｎ］は時間ｎでの参照信号である。
【００２８】
本発明によると、等化器フィルタ１１４は、１倍のチップ速度にて動作し、過速度標本化処理を有さない。したがって、等化器フィルタ１１４のタップの数は、２倍のチップ速度での処理を有する従来技術における等化器フィルタにおいて必要であるものよりも少ない。等化器フィルタ１１４は、２倍のチップ速度の等化器フィルタにおけるタップの数の半分を必要とするだけである。
【００２９】
タップ係数発生器１１６は、乗算器１１８、１２４、加算器１３０、直並列（Serial-to-Parallel：Ｓ→Ｐ）からベクトルへの変換器１２２、ベクトル累算器（accumulator）１２６、修正項発生器１２８、およびチップ累算器１３２を含む。等化器フィルタ１１４からの出力は、乗算器１１８によりスクランブル復元（descramble）される。乗算器１１８の出力は、チップ累算器１３２により予め定められた期間の間（例えば、共通パイロット・チャンネル（Common PIlot CHannel：ＣＰＩＣＨ）逆拡散因数に等しいチップ数の間）累算される。チップ累算器１３２により出力された累算結果は、加算器１３０により参照パイロット信号１２９から減算され、変数ｅにより表される誤差信号１３１を発生させ、この信号が修正項発生器１２８により使用され、修正項１３４を発生させる。
【００３０】
合成された入力標本化データ列１１１は、Ｓ→Ｐからベクトルへの変換器１２２により、長さＬのベクトルに変換され、かつ乗算器１２４によりスクランブル復元される。スクランブル復元された入力ベクトルは、ベクトル累算器１２６により予め定められた期間の間（例えば、ＣＰＩＣＨ逆拡散因数に等しいチップ数の間）累算され、更新ベクトル１２７を発生させる。更新ベクトル１２７は、修正項発生器１２８に転送される。タップ係数更新に対する修正項を発生させるために、
【００３１】
【数６】
2008519556.tif 000008
【００３２】
に対する入力が必要である。
【００３３】
【数７】
2008519556.tif 000009
【００３４】
はステップ量である。ｅは、等化された信号および参照信号の間の差分信号の誤差信号であり、通常はパイロット信号の形で使用される。
【００３５】
【数８】
2008519556.tif 000010
【００３６】
は、スクランブル復元および逆拡散の後の受信信号である。
【００３７】
【数９】
2008519556.tif 000011
【００３８】
は、スクランブル復元および逆拡散信号
【００３９】
【数１０】
2008519556.tif 000012
【００４０】
のノルム（norm）である。式（２）は繰り返しアルゴリズムおよびタップ係数更新に使用される。
【００４１】
修正項発生器１２８は、修正項
【００４２】
【数１１】
2008519556.tif 000013
【００４３】
に基づき修正項１３４を発生させ、これが等化器フィルタ１１４において、前の繰り返しのフィルタ係数に加算され、次の繰り返しに対する更新されたフィルタ係数を発生させる。
【００４４】
あるいは修正項発生器１２８は、修正項
【００４５】
【数１２】
2008519556.tif 000014
【００４６】
に基づき修正項１３４を発生させることができる。変数ηは数値特性を改善し、修正項を発生させるときに、固定小数点計算がオーバフローすることを回避するために使用される比較的小さな数である。
【００４７】
図２は、本発明の第２の実施形態により構成された例示的なＣＤＭＡ受信機２００のブロック図である。ＣＤＭＡ受信機２００は、２つのアンテナ２０２Ａ、２０２Ｂ、２つの標本化器２０４Ａ、２０４Ｂ、２つのＳ／Ｐ変換器２０６Ａ、２０６Ｂ、４つの多重経路合成器２０８Ａ、２０８Ｂ、２０８Ｃ、２０８Ｄ、２つの過速度標本合成器２１０Ａ、２１０Ｂ、アンテナ・ダイバーシティ合成器２１２、および図１に関して上述された１倍のチップ速度の非過速度標本処理ＮＬＭＳ等化器１１２を含む。
【００４８】
信号は、アンテナ２０２Ａ、２０２Ｂによって受信され、個々に標本化器２０４Ａ、２０４Ｂにより、２倍のチップ速度にて標本化される。標本化器２０４Ａは標本化データ列２０５Ａを出力し、これがＳ／Ｐ変換器２０６Ａにより１倍のチップ速度にて、奇数標本化データ列２０７Ａおよび偶数標本化データ列２０７Ｂに分割される。標本化器２０４Ｂは標本化データ列２０５Ｂを出力し、これがＳ／Ｐ変換器２０６Ｂにより１倍のチップ速度にて、奇数標本化データ列２０７Ｃおよび偶数標本化データ列２０７Ｄに分割される。
【００４９】
奇数標本化データ列２０７Ａおよび偶数標本化データ列２０７Ｂは、多重経路合成器２０８Ａ、２０８Ｂの個々の１つに供給される。多重経路合成器２０８Ａ、２０８Ｂは個々に、信号データ列２０７Ａ、２０７Ｂの多重経路のまたは遅延した複製を合成する。多重経路合成には、最大比率合成（Maximum Ratio Combining：ＭＲＣ）を使用できる。多重経路合成された信号データ列２０９Ａ、２０９Ｂは、個々の多重経路合成器２０８Ａ、２０８Ｂにより１倍のチップ速度にて出力され、次に過速度標本合成器２１０Ａに供給される。過速度標本合成器２１０Ａは、多重経路合成信号列２０９Ａ、２０９Ｂを合成し、第１の合成された標本化データ列２１１Ａを１倍のチップ速度にて生成する。
【００５０】
奇数標本化データ列２０７Ｃおよび偶数標本化データ列２０７Ｄは、多重経路合成器２０８Ｃ、２０８Ｄの個々の１つに供給される。多重経路合成器２０８Ｃ、２０８Ｄは個々に、信号データ列２０７Ｃ、２０７Ｄの多重経路のまたは遅延した複製を合成する。多重経路合成には、ＭＲＣを使用できる。多重経路合成された信号データ列２０９Ｃ、２０９Ｄは、個々の多重経路合成器２０８Ｃ、２０８Ｄにより１倍のチップ速度にて出力され、次に過速度標本合成器２１０Ｂに供給される。過速度標本合成器２１０Ｂは、多重経路合成信号列２０９Ｃ、２０９Ｄを合成し、第２の合成された標本化データ列２１１Ｂを１倍のチップ速度にて生成する。
【００５１】
合成された標本化データ列２１１Ａおよび２１１Ｂは、アンテナ・ダイバーシティ合成器２１２によって合成され、アンテナ・ダイバーシティ合成器２１２の合成された出力２１４は等化器フィルタ１１４、および１倍のチップ速度の非過速度標本処理ＮＬＭＳ等化器１１２のタップ係数発生器１１６に供給される。
【００５２】
図３Ａおよび３Ｂは、両方併せて、本発明の第３の実施形態により構成された例示的なＣＤＭＡ受信機３００のブロック図である。第３の実施形態は、第１および第２の実施形態のＮ本アンテナおよびＭ倍の過速度標本化への拡大であり、ここでＮおよびＭは正の整数である。ＣＤＭＡ受信機３００は、Ｎ本のアンテナ３０２1〜３０２N、Ｎ個の標本化器３０４1〜３０４N、Ｎ個のＳ／Ｐ変換器３０６1〜３０６N（すなわち、分割器（splitter））、Ｎ×Ｍ個の多重経路合成器３０８11〜３０８NM、Ｎ個の過速度標本合成器３ｌ０l〜３ｌ０N、アンテナ・ダイバーシティ合成器３１２、および図１に関して上述された１倍のチップ速度の非過速度標本処理ＮＬＭＳ等化器１１２を含む。
【００５３】
信号は、アンテナ３０２1〜３０２Nによって受信され、Ｍ倍のチップ速度にて標本化器３０４1〜３０４N、により、個々に（すなわち、第１番目の標本化系列、第２番目の標本化系列、…、第Ｍ番目の標本化系列というように）標本化される。
【００５４】
アンテナ３０２1からの信号の受信に対応して、標本化器３０４1は標本化データ列３０５1を発生させ、この標本化データ列３０５1は、Ｓ／Ｐ変換器３０６1（すなわち、分割器）により、１倍のチップ速度にてＭ個の標本化系列３０７11〜３０７1Mに分割される。個々のＭ個の標本化系列３０７11〜３０７1Mのそれぞれの多重経路成分は、多重経路合成器３０８11〜３０８1Mの個々の１つにより合成され、個々に過速度標本化列３０９11〜３０９1Mを発生させ、それが過速度標本合成器３１０1に供給される。過速度標本合成器３ｌ０1は、過速度標本化列３０９11〜３０９1Mを合成された過速度標本化列３ｌｌ1に合成し、これが次にアンテナ・ダイバーシティ合成器３１２に供給される。
【００５５】
アンテナ３０２2からの信号の受信に対応して、標本化器３０４2は標本化データ列３０５2を発生させ、この標本化データ列３０５2は、Ｓ／Ｐ変換器３０６2（すなわち、分割器）により、１倍のチップ速度にてＭ個の標本化系列３０７21〜３０７2Mに分割される。個々のＭ個の標本化系列３０７21〜３０７2Mのそれぞれの全ての多重経路成分は、多重経路合成器３０８21〜３０８2Mの個々の１つにより合成され、個々に過速度標本化列３０９21〜３０９2Mを発生させ、それが過速度標本合成器３１０2に供給される。過速度標本合成器３ｌ０2は、過速度標本化列３０９21〜３０９2Mを合成された過速度標本化列３ｌｌ2に合成し、これがアンテナ・ダイバーシティ合成器３１２に供給される。
【００５６】
アンテナ３０２Nからの信号の受信に対応して、標本化器３０４Nは標本化データ列３０５Nを発生させ、この標本化データ列３０５Nは、Ｓ／Ｐ変換器３０６N（すなわち、分割器）により、１倍のチップ速度にてＭ個の標本化系列３０７N1〜３０７NMに分割される。個々のＭ個の標本化系列３０７N1〜３０７NMのそれぞれの全ての多重経路成分は、多重経路合成器３０８N1〜３０８NMの個々の１つにより合成され、個々に過速度標本化列３０９N1〜３０９NMを発生させ、それが過速度標本合成器３１０Nに供給される。過速度標本合成器３ｌ０Nは、過速度標本化列３０９N1〜３０９NMを合成された過速度標本化列３ｌｌNに合成し、これがアンテナ・ダイバーシティ合成器３１２に供給される。
【００５７】
アンテナ・ダイバーシティ合成器３１２は、合成された過速度標本化列３ｌｌl〜３ｌｌNをアンテナ・ダイバーシティ標本化データ列３１４にチップ速度にて合成する。アンテナ・ダイバーシティ標本化データ列３１４は、１倍のチップ速度の非過速度標本処理ＮＬＭＳ等化器１１２の、等化器フィルタ１１４およびタップ係数発生器１１６に入力される。
【００５８】
以上の記述は、逆拡散パイロット信号適応型受信機に関する。代替手段として、受信機は非逆拡散パイロット信号適応型受信機であることができる。そのような場合においては、スクランブル復元された標本の累算は実行されない。
【００５９】
図４は、本発明による、非過速度標本処理を実施するための方法ステップを含む処理４００のフロー図である。ステップ４０２においては、信号がＮ本のアンテナ３０２1〜３０２Nを使用して受信される（Ｎは正の整数である）。ステップ４０４においては、受信された信号に基づき、Ｎ本のアンテナ３０２1〜３０２Nのそれぞれに対してＭ倍のチップ速度にて標本化データ列３０５1〜３０５Nが発生される（Ｍは正の整数である）。ステップ４０６においては、それぞれの標本化データ列３０５1〜３０５Nは、Ｍ個の標本化系列３０７11〜３０７1M、３０７21〜３０７2M、３０７N1〜３０７NMにチップ速度にて分割される。ステップ４０８においては、それぞれの個々の標本化系列３０７11〜３０７1M、３０７21〜３０７2M、３０７N1〜３０７NMの多重経路成分が合成され、個々の過速度標本化列３０９11〜３０９1M、３０９21〜３０９2M、３０９N1〜３０９NMを発生させる。ステップ４１０においては、Ｍ個の標本化系列３０７11〜３０７1M、３０７21〜３０７2M、３０７N1〜３０７NMに関連付けられた、過速度標本化列３０９11〜３０９1M、３０９21〜３０９2M、３０９N1〜３０９NMが合成され、合成された過速度標本化列３１１1〜３ｌｌNを発生させる。ステップ４１２においては、Ｎ本のアンテナの合成された過速度標本化列３ｌｌl〜３ｌｌNが合成され、アンテナ・ダイバーシティ標本化データ列３１４を発生させる。ステップ４１４においては、等化器フィルタ１１４によりアンテナ・ダイバーシティ標本化データ列３１４にチップ速度にて等化が実行される。ステップ４１６においては、前の繰り返しに対して利用されたフィルタ係数にフィルタ係数修正項１３４を加算することによって、等化器フィルタのフィルタ係数が調整される。等化器フィルタからの出力を参照信号と比較することにより発生する誤差信号１３１に応じて、フィルタ係数修正項１３４は発生する。
【００６０】
本発明が好適な実施形態に関して記述されてきたが、特許請求の範囲において輪郭が描かれているような、本発明の範囲の中の他の変更は当業者にとって自明であろう。
【図面の簡単な説明】
【００６１】
【図１】本発明の第１の実施形態により構成された、例示的なＣＤＭＡ受信機のブロック図である。
【図２】本発明の第２の実施形態により構成された、例示的なＣＤＭＡ受信機のブロック図である。
【図３Ａ】本発明の第３の実施形態により構成された、例示的なＣＤＭＡ受信機のブロック図である。
【図３Ｂ】本発明の第３の実施形態により構成された、例示的なＣＤＭＡ受信機のブロック図である。
【図４】本発明によるＣＤＭＡ受信機において、非過速度標本処理を実施するための処理のフロー図である。
【図１】
2008519556.tif 000015
【図２】
2008519556.tif 000016
【図３Ａ】
2008519556.tif 000017
【図３Ｂ】
2008519556.tif 000018
【図４】
2008519556.tif 000019
【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
（ａ）信号を受信する１本のアンテナと、
（ｂ）前記アンテナに接続され、前記受信された信号に基づいて、Ｍが正の整数であるＭ倍のチップ速度にて標本化データ列を発生させる標本化器と、
（ｃ）前記標本化データ列を前記チップ速度にてＭ個の標本化列に分割する前記標本化器に接続される直並列（Ｓ／Ｐ）変換器と、
（ｄ）前記分割された標本化列を、前記チップ速度にて１つの合成された標本化データ列に合成する合成器と、
（ｅ）前記チップ速度にて前記１つの合成された標本化データ列を処理する等化器と、
（ｆ）前記Ｓ／Ｐ変換器から出力されたそれぞれの標本化データ列の多重経路のまたは遅延した複製を合成する複数の多重経路合成器と
を具備することを特徴とする符号分割多元接続（ＣＤＭＡ）受信機。
【請求項２】
前記等化器（ｅ）が、
（ｅ１）前記１つの合成された標本化データ列をフィルタ係数によって処理する等化器フィルタと、
（ｅ２）前記等化器フィルタによる使用のための少なくとも１つのフィルタ係数修正項を発生させるタップ係数発生器と
をさらに具備することを特徴とする請求項１に記載の受信機。
【請求項３】
Ｍが２に等しく、かつ前記Ｓ／Ｐ変換器が、前記標本化データ列を奇数標本化データ列および偶数標本化データ列に分割することを特徴とする請求項１に記載の受信機。
【請求項４】
前記フィルタ係数修正項が、逆拡散パイロット信号系列に基づいて発生することを特徴とする請求項２に記載の受信機。
【請求項５】
前記フィルタ係数修正項が、非逆拡散パイロット信号系列に基づいて発生することを特徴とする請求項２に記載の受信機。
【請求項６】
前記タップ係数発生器が、正規化最少２乗平均（ＮＬＭＳ）アルゴリズムを使用して前記フィルタ係数修正項を発生させることを特徴とする請求項２に記載の受信機。
【請求項７】
前記タップ係数発生器が、最少２乗平均（ＬＭＳ）アルゴリズムを使用して前記フィルタ係数修正項を発生させることを特徴とする請求項２に記載の受信機。
【請求項８】
（ａ）信号を受信する複数のアンテナと、
（ｂ）前記受信された信号に基づいて、Ｍが正の整数であるＭ倍のチップ速度にて標本化データ列を発生させる複数の標本化器であって、それぞれの標本化器は前記アンテナの特定の１つと関連付けられる標本化器と、
（ｃ）前記標本化データ列を前記チップ速度にてＭ個の標本化系列に分割する複数の分割器であって、それぞれの分割器が前記標本化器の個々の１つに接続される分割器と、
（ｄ）個々の過速度標本化列を発生させるために、それぞれの個々の標本化系列の多重経路成分を合成する複数の多重経路合成器であって、それぞれの多重経路合成器が、前記過速度標本化列の個々の１つを受け取るように構成される多重経路合成器と、
（ｅ）前記分割器の個々の１つにより発生した前記標本化系列群に関連付けられた前記過速度標本化列群を、１つの合成された過速度標本化列に合成する複数の過速度標本合成器と、
（ｆ）１つのアンテナ・ダイバーシティ標本化データ列を発生させるために、前記アンテナのそれぞれの前記合成された過速度標本化列を合成するアンテナ・ダイバーシティ合成器と、
（ｇ）前記アンテナ・ダイバーシティ標本化データ列を前記チップ速度にて等化する等化器と
を具備することを特徴とする符号分割多元接続（ＣＤＭＡ）受信機。
【請求項９】
前記等化器（ｇ）が、
（ｇ１）前記１つの合成された標本化データ列をフィルタ係数によって処理する等化器フィルタと、
（ｇ２）前記等化器フィルタによる使用のための少なくとも１つのフィルタ係数修正項を発生させるタップ係数発生器と
を具備することを特徴とする請求項８に記載の受信機。
【請求項１０】
前記フィルタ係数修正項が、逆拡散パイロット信号系列に基づいて発生することを特徴とする請求項９に記載の受信機。
【請求項１１】
前記フィルタ係数修正項が、非逆拡散パイロット信号系列に基づいて発生することを特徴とする請求項９に記載の受信機。
【請求項１２】
前記タップ係数発生器が、正規化最少２乗平均（ＮＬＭＳ）アルゴリズムを使用して前記フィルタ係数修正項を発生させることを特徴とする請求項９に記載の受信機。
【請求項１３】
前記タップ係数発生器が、最少２乗平均（ＬＭＳ）アルゴリズムを使用して前記フィルタ係数修正項を発生させることを特徴とする請求項９に記載の受信機。
【請求項１４】
前記分割器が直並列（Ｓ／Ｐ）変換器であることを特徴とする請求項８に記載の受信機。
【請求項１５】
等化器フィルタおよびＮ本のアンテナを含む符号分割多元接続（ＣＤＭＡ）受信機においてチップ・レベル等化（ＣＬＥ）を実行するときに、処理速度を下げる方法であって、
（ａ）Ｎが正の整数である前記Ｎ本のアンテナを使用して信号を受信するステップと、
（ｂ）前記Ｎ本のアンテナのそれぞれに対して、前記受信された信号に基づいて、Ｍが正の整数であるＭ倍のチップ速度にて標本化データ列を発生させるステップと、
（ｃ）前記標本化データ列を前記チップ速度にてＭ個の標本化系列に分割するステップと、
（ｄ）それぞれの個々の標本化系列の多重経路成分群を、個々の過速度標本化列を発生させるために合成するステップと、
（ｅ）前記標本化系列群に関連付けられた前記過速度標本化列群を、１つの合成された過速度標本化列に合成するステップと、
（ｆ）前記Ｎ本のアンテナのそれぞれの前記合成された過速度標本化列を、１つのアンテナ・ダイバーシティ標本化データ列を発生させるために合成するステップと
を具備することを特徴とする方法。
【請求項１６】
（ｇ）前記アンテナ・ダイバーシティ標本化データ列について、前記等化器フィルタにより前記チップ速度にて等化を実行するステップと、
（ｈ）前の繰り返しに対して利用されたフィルタ係数にフィルタ係数修正項を加えることにより、前記等化器フィルタのフィルタ係数を調整するステップと
をさらに具備することを特徴とする請求項１５に記載の方法。
【請求項１７】
前記フィルタ係数修正項が、逆拡散パイロット信号系列に基づいて発生することを特徴とする請求項１６に記載の方法。
【請求項１８】
前記フィルタ係数修正項が、非逆拡散パイロット信号系列に基づいて発生することを特徴とする請求項１６に記載の方法。
【請求項１９】
前記フィルタ係数修正項が、正規化最少２乗平均（ＮＬＭＳ）アルゴリズムを使用して発生されることを特徴とする請求項１６に記載の方法。
【請求項２０】
前記フィルタ係数修正項が、最少２乗平均（ＬＭＳ）アルゴリズムを使用して発生されることを特徴とする請求項１６に記載の方法。
【請求項２１】
信号を受信する１本のアンテナ有する符号分割多元接続（ＣＤＭＡ）受信機と関連して使用される集積回路（ＩＣ）であって、
（ａ）前記アンテナに接続され、前記受信された信号に基づいて、Ｍが正の整数であるＭ倍のチップ速度にて標本化データ列を発生させる標本化器と、
（ｂ）前記標本化データ列を前記チップ速度にてＭ個の標本化列に分割する前記標本化器に接続される直並列（Ｓ／Ｐ）変換器と、
（ｃ）前記分割された標本化列群を、前記チップ速度にて１つの合成された標本化データ列に合成する合成器と、
（ｄ）前記１つの合成された標本化データ列を前記チップ速度にて処理する等化器と、
（ｅ）前記Ｓ／Ｐ変換器から出力されたそれぞれの標本化データ列の多重経路のまたは遅延した複製を合成する複数の多重経路合成器と
を具備することを特徴とするＩＣ。
【請求項２２】
前記等化器（ｄ）が、
（ｄ１）前記１つの合成された標本化データ列をフィルタ係数によって処理する等化器フィルタと、
（ｄ２）前記等化器フィルタによる使用のための少なくとも１つのフィルタ係数修正項を発生させるタップ係数発生器と、
をさらに具備することを特徴とする請求項２１に記載のＩＣ。
【請求項２３】
Ｍが２に等しく、かつ前記Ｓ／Ｐ変換器が、前記標本化データ列を奇数標本化データ列および偶数標本化データ列に分割することを特徴とする請求項２１に記載のＩＣ。
【請求項２４】
前記フィルタ係数修正項が、逆拡散パイロット信号系列に基づいて発生することを特徴とする請求項２２に記載のＩＣ。
【請求項２５】
前記フィルタ係数修正項が、非逆拡散パイロット信号系列に基づいて発生することを特徴とする請求項２２に記載のＩＣ。
【請求項２６】
前記タップ係数発生器が、正規化最少２乗平均（ＮＬＭＳ）アルゴリズムを使用して前記フィルタ係数修正項を発生させることを特徴とする請求項２２に記載のＩＣ。
【請求項２７】
前記タップ係数発生器が、最少２乗平均（ＬＭＳ）アルゴリズムを使用して前記フィルタ係数修正項を発生させることを特徴とする請求項２２に記載のＩＣ。
【請求項２８】
前記ＩＣおよび前記ＣＤＭＡ受信機が無線送受信ユニット（ＷＴＲＵ）に組み込まれることを特徴とする請求項２１に記載のＩＣ。
【請求項２９】
前記ＩＣおよび前記ＣＤＭＡ受信機が基地局に組み込まれることを特徴とする請求項２１に記載のＩＣ。
【請求項３０】
信号を受信するＮ本のアンテナを有する符号分割多元接続（ＣＤＭＡ）受信機に関連して使用される集積回路（ＩＣ）であって、
（ａ）前記受信された信号に基づいて、Ｍが正の整数であるＭ倍のチップ速度にて標本化データ列を発生させる複数の標本化器であって、それぞれの標本化器は前記アンテナの特定の１つと関連付けられる標本化器と、
（ｂ）前記標本化データ列を前記チップ速度にてＭ個の標本化系列に分割する複数の分割器であって、それぞれの分割器が前記標本化器の個々の１つに接続される分割器と、
（ｃ）個々の過速度標本化列を発生させるために、それぞれの個々の標本化系列の多重経路成分を合成する複数の多重経路合成器であって、それぞれの多重経路合成器が、前記過速度標本化列の個々の１つを受け取るように構成される多重経路合成器と、
（ｄ）前記分割器の個々の１つにより発生した前記標本化系列群に関連付けられた前記過速度標本化列群を、１つの合成された過速度標本化列に合成する複数の過速度標本合成器と、
（ｅ）１つのアンテナ・ダイバーシティ標本化データ列を発生させるために、前記Ｎ本のアンテナのそれぞれの前記合成された過速度標本化列を合成するアンテナ・ダイバーシティ合成器と、
（ｆ）前記アンテナ・ダイバーシティ標本化データ列を、前記チップ速度にて等化する等化器と
を具備することを特徴とするＩＣ。
【請求項３１】
前記等化器（ｆ）が、
（ｆ１）前記１つの合成された標本化データ列をフィルタ係数によって処理する等化器フィルタと、
（ｆ２）前記等化器フィルタによる使用のための少なくとも１つのフィルタ係数修正項を発生させるタップ係数発生器と
をさらに具備することを特徴とする請求項３０に記載のＩＣ。
【請求項３２】
前記フィルタ係数修正項が、逆拡散パイロット信号系列に基づいて発生することを特徴とする請求項３１に記載のＩＣ。
【請求項３３】
前記フィルタ係数修正項が、非逆拡散パイロット信号系列に基づいて発生することを特徴とする請求項３１に記載のＩＣ。
【請求項３４】
前記タップ係数発生器が、正規化最少２乗平均（ＮＬＭＳ）アルゴリズムを使用して前記フィルタ係数修正項を発生させることを特徴とする請求項３１に記載のＩＣ。
【請求項３５】
前記タップ係数発生器が、最少２乗平均（ＬＭＳ）アルゴリズムを使用して前記フィルタ係数修正項を発生させることを特徴とする請求項３１に記載のＩＣ。
【請求項３６】
前記分割器が直並列（Ｓ／Ｐ）変換器であることを特徴とする請求項３０に記載のＩＣ。
【請求項３７】
前記ＩＣおよび前記ＣＤＭＡ受信機が無線送受信ユニット（ＷＴＲＵ）に組み込まれることを特徴とする請求項３０に記載のＩＣ。
【請求項３８】
前記ＩＣおよび前記ＣＤＭＡ受信機が基地局に組み込まれることを特徴とする請求項３０に記載のＩＣ。
【国際調査報告】
2008519556.tif 000020
2008519556.tif 000021
2008519556.tif 000022